(57)【特許請求の範囲】
【請求項１】
携帯工具が差し込まれる収納空間を区画形成するホルスター本体と、
前記ホルスター本体に、前記収納空間に差し込まれる前記携帯工具を挿通状態にして、前記携帯工具の差込み方向と交差する方向に摺動可能に保持されたスライド部材と、を備え、
前記スライド部材に、前記スライド部材への挿通状態で前記収納空間に差し込まれた前記携帯工具に係止し、前記携帯工具の前記収納空間からの引抜きを阻止する係止部と、押圧操作により前記係止部の前記携帯工具との係止を解除し、前記携帯工具の前記収納空間からの引抜きを可能とする操作部とを、一体に設けたことを特徴とする携帯工具用ホルスター。
【請求項２】
前記スライド部材を、前記操作部の押圧操作方向とは反対方向に付勢する弾性部材を設けた、請求項１に記載の携帯工具用ホルスター。
【請求項３】
前記スライド部材を、前記操作部から前記係止部に向けて斜め下方に摺動可能に構成した、請求項１または２に記載の携帯工具用ホルスター。
【請求項４】
前記ホルスター本体に、前記携帯工具の前記収納空間からの引き抜き時、前記携帯工具が接触して回転するローラーを設けた、請求項１から３のいずれか一項に記載の携帯工具用ホルスター。
【請求項５】
前記収納空間に差し込まれた前記携帯工具と接触し、前記携帯工具を前記収納空間の底から押し上げる方向に付勢する付勢ばねを設けた、請求項１から４のいずれか一項に記載の携帯工具用ホルスター。
【請求項６】
携帯工具が差し込まれる収納空間を区画形成するホルスター本体と、
前記ホルスター本体に、前記携帯工具の差込み方向に対する交差方向に摺動可能に保持されたスライド部材と、を備え、
前記スライド部材に、前記収納空間内に差し込まれた携帯工具の側壁に当接してその引抜きを阻止する係止部と、押圧操作により前記係止部による前記携帯工具の保持を解除して携帯工具の引抜きを可能とする操作部とを一体に設け、
前記スライド部材を、前記操作部から前記係止部に向かう方向にみて斜め下方に摺動可能に構成した、ことを特徴とする携帯工具用ホルスター。
【発明の詳細な説明】
【技術分野】
【０００１】
この発明は、カッターナイフなどの工具を携行するホルスターに関するものである。
【背景技術】
【０００２】
従来、カッターナイフなどの工具を携帯するホルスターとしては、布や革等を縫い合わせて筒状または袋状に形成したものがあり、このような革製などのホルスターは、工具の落下防止のために工具をロックする構造とはなっておらず、しかも革製などのホルスターは素材が劣化しやすく、材質が伸びる（なじむ）と工具の保持が緩くなり、工具の落下の危険性が増すという問題があった。
【０００３】
近年では、合成樹脂によって成形されたものが普及しつつあり、この点に関する先行技術としては、例えば特許文献１および特許文献２に記載のごときものが知られている。
【０００４】
特許文献１に記載の手動器具用のケースは、筒形のケース本体にケース空所へ凸に突出して手動器具を押圧する板ばねを有し、この板ばねの押圧力をもってケース本体から手動器具が脱落するのを防止するようにしたものである。
【０００５】
また、特許文献２に記載の電工ナイフ用のケース体は、ナイフの柄の先端の凸部に係合する拡開変形可能な弾性片と、弾性片の周りをナイフの差込み方向に摺動するロック部材とを有し、弾性片が凸部に係合した状態においてこのロック部材を操作して弾性片の形状を維持することでナイフの脱落を防止するようにしたものである。
【先行技術文献】
【特許文献】
【０００６】
【特許文献１】特開２００４−２４３５１７号公報
【特許文献２】意匠登録第１１０９２３３号公報
【発明の概要】
【発明が解決しようとする課題】
【０００７】
しかしながら、特許文献１に記載されたケースは、板ばねの押圧力のみで工具を保持するものであるため手動器具を確実にロックすることができず、衝撃等が加わった際に工具が脱落する虞があった。また、特許文献２に記載されたケース体は、工具をケース体内に差し込んだ後にロック部材を引き上げなければロックを掛けることができず、しかも、ロックを解除するにあたっては、ロック部材を工具の差込み方向に押し下げなければならないため、ロック部材の解除と工具の引抜き動作を円滑に行なうことができず、操作性の面で改善の余地があった。
【０００８】
それゆえ、この発明は、携帯工具をホルスター内に確実にロックして携帯工具のホルスターからの脱落を防止でき、また、携帯工具の取り出し時にはロック解除と携帯工具の引抜き動作を円滑に行うことができる新規なホルスターを提供することを目的とする。
【課題を解決するための手段】
【０００９】
この発明は上記課題を解決するためになされたものであり、この発明の携帯工具用ホルスターは、携帯工具が差し込まれる収納空間を区画形成するホルスター本体と、前記ホルスター本体に、前記収納空間に差し込まれる前記携帯工具を挿通状態にして、前記携帯工具の差込み方向と交差する方向に摺動可能に保持されたスライド部材と、を備え、前記スライド部材に、前記スライド部材への挿通状態で前記収納空間に差し込まれた前記携帯工具に係止し、前記携帯工具の前記収納空間からの引抜きを阻止する係止部と、押圧操作により前記係止部の前記携帯工具との係止を解除し、前記携帯工具の前記収納空間からの引抜きを可能とする操作部とを、一体に設けたことを特徴とするものである。
【００１０】
なお、この発明の携帯工具用ホルスターにあっては、前記スライド部材を、前記操作部の押圧操作方向とは反対方向に付勢する弾性部材を設けることが好ましい。
【００１１】
さらに、この発明の携帯工具用ホルスターにあっては、前記スライド部材を、前記操作部から前記係止部に向けて斜め下方に摺動可能に構成することが好ましい。
また、この発明の携帯工具用ホルスターにあっては、前記ホルスター本体に、前記携帯工具の前記収納空間からの引き抜き時、前記携帯工具が接触して回転するローラーを設けたことが好ましい。
また、この発明の携帯工具用ホルスターにあっては、前記収納空間に差し込まれた前記携帯工具と接触し、前記携帯工具を前記収納空間の底から押し上げる方向に付勢する付勢ばねを設けたことが好ましい。
また、この発明の携帯工具用ホルスターは、携帯工具が差し込まれる収納空間を区画形成するホルスター本体と、前記ホルスター本体に、前記携帯工具の差込み方向に対する交差方向に摺動可能に保持されたスライド部材と、を備え、前記スライド部材に、前記収納空間内に差し込まれた携帯工具の側壁に当接してその引抜きを阻止する係止部と、押圧操作により前記係止部による前記携帯工具の保持を解除して携帯工具の引抜きを可能とする操作部とを一体に設け、前記スライド部材を、前記操作部から前記係止部に向かう方向にみて斜め下方に摺動可能に構成した、ことを特徴とするものである。
【発明の効果】
【００１２】
この発明の携帯工具用ホルスターにあっては、カッターナイフが収納空間内に差し込まれると、スライド部材の係止部は携帯工具に当接してその引き抜きが阻止される。一方、ホルスターから携帯工具を取り出す際には、携帯工具を把持するとともに使用者の指にてスライド部材の操作部を押圧し、スライド部材を強制的にスライドさせる。これにより、係合部と携帯工具との係合が解除され、携帯工具を上方に引き上げることで携帯工具を収納空間から引き抜くことができる。
【００１３】
したがって、この発明のホスターによれば、スライド部材の係止部によって携帯工具をホルスター内に確実にロックして携帯工具のホルスターからの脱落を防止でき、また、スライド部材のスライド方向を携帯工具の差込み方向に対する交差方向としたことから、携帯工具の取り出し時には、自然に携帯工具を握る動作でスライド部材によるロックを解除することができるので、ロック解除と携帯工具の引抜き動作を円滑に（一連の連続した動作で）行うことができる。
【図面の簡単な説明】
【００１４】
【図１】この発明にしたがう一実施形態の携帯工具用ホルスターを示す斜視図である。
【図２】図１の携帯工具用ホルスターの正面図である。
【図３】図１の携帯工具用ホルスターの背面図である。
【図４】図１の携帯工具用ホルスターの平面図である。
【図５】図１の携帯工具用ホルスターに設けられたスライド部材を示す斜視図である。
【図６】図１の携帯工具用ホルスターの操作方法を説明する正面図である。
【図７】他の例のスライド部材を示す斜視図である。
【図８】図１の携帯工具用ホルスターにおいて、正面側ケースを取り外した状態を示す正面図である。
【図９】図１の携帯工具用ホルスターにおいて、カッターナイフを収納空間に挿入しスライド部材によってロックした状態を示す斜視図である。
【図１０】（ａ）は、この発明にしたがう他の実施形態の携帯工具用ホルスターの要部を示す斜視図であり、（ｂ）は（ａ）の要部を拡大して示す斜視図である。
【図１１】この発明にしたがうさらに他の実施形態の携帯工具用ホルスターの使用状態を示す正面図である。
【図１２】この発明に適用可能なさらに他のスライド部材を示す斜視図である。
【図１３】この発明の携帯工具用ホルスターで収納可能な工具の一例であるカッターナイフの背面図である。
【発明を実施するための形態】
【００１５】
以下、この発明の実施の形態を図面に基づき詳細に説明する。図１〜図１２は、この発明にしたがう携帯工具用ホルスターの実施の形態を、カッターナイフを収納するホルスターに適用した場合について示したものである。なお、この発明の携帯工具用ホルスターは、図１３に示すように、グリップ部先端に凸部Ｃ１を有するカッターナイフＣを収容するのに好適に用いられ、この凸部Ｃ１は、カッターナイフＣのグリップ性を良くするために元々設けられているものを流用することができるが、勿論、この発明の携帯工具用ホルスターは、凸部のないカッターナイフ（図示省略）に対しても使用することができる。
【００１６】
図１および図２に示すように、携帯工具用ホルスター（以下、単に「ホルスター」という。）１は、カッターナイフＣの収納空間を形成するとともにカッターナイフＣの出し入れ口を残して該収納空間を閉状態に保持するホルスター本体３を備える。ホルスター本体３は、収納空間の半部を区間形成する背面側ケース３ａと、収納空間の残りの半部を区画形成し、背面側ケース３ａに合わさる正面側ケース３ｂとからなり、これらの背面側ケース３ａおよび正面側ケース３ｂはネジ等の固定具で相互連結されている。
【００１７】
図３に示すように、ホルスター１の背面側には、ベルト通し部５が設けられており、このベルト通し部５はホルスター本体３に対して任意の角度（例えば最大４５度）傾けた状態で固定できるよう構成され、これにより使用者はホルスター１を最適な角度を選んでベルト等に装着することができる。さらに、図４に示すように、背面側ケース３ａの内面には、カッターナイフＣの差込み方向Ｉに沿って延びるリブ６が形成されており、このリブ６は、カッターナイフＣの正面側に形成された、カッターナイフＣの刃をスライドさせるためのスライダが通るための通路（図示省略）をガイドするとともに、カッターナイフＣを表裏逆に差し込もうとした場合にカッターナイフＣの背面にぶつかってその差込みを拒否するものである。また、ホルスター本体３の側面部には、カッターナイフＣの落下防止の目的で安全ロープ（図示省略）を取り付ける場合に用いることができる環状部７が設けられている。
【００１８】
そして、ホルスター１は、ホルスター本体３に、カッターナイフＣの差込み方向Ｉに対する交差方向に摺動可能に保持されたスライド部材９を備えている。スライド部材９は、図５に詳細に示すように、内側にカッターナイフＣを挿通させる略長方形の開口を形成するリング状をなし、一方（正面側からみて左側）の短辺部の下端は、収納空間内に差し込まれたカッターナイフＣの側壁、より具体的にはカッターナイフＣのグリップ部先端に形成された凸部Ｃ１に当接（係止）してその引抜きを阻止する係止部９ａを構成し、他方（正面側からみて右側）の短辺部は使用者による押圧操作により係止部９ａによるカッターナイフＣの保持を解除してカッターナイフＣの引抜きを可能とする操作部９ｂを構成するものであり、これらの係止部９ａおよび操作部９ｂは一対の長辺部９ｃ，９ｄを介して一体的に設けられている。
【００１９】
また、該一対の長辺部９ｃ，９ｄは、背面側ケース３ａと正面側ケース３ｂとにそれぞれ形成されたガイド溝ｇ１，ｇ２（図１参照）に案内されて進退移動可能であり、この例では、ガイド溝ｇ１，ｇ２は、操作部９ｂの位置する側から係止部９ａの位置する側に向けて斜め下方に延びており、これにより、スライド部材９も該斜め下方に進退移動可能である。スライド部材９の進退移動方向Ｓは、図６に示すように、収納空間に収められたカッターナイフＣをその背面側から把持した際に使用者の母指とほぼ平行とすることが好ましく、具体的な角度θとしては、カッターナイフＣの差込み方向Ｉに対して鋭角側から測って２０°〜７０°の範囲とすることが好ましい。なお、スライド部材９はリング状とする必要はなく、例えば図７に示す他の例のスライド部材９’ように、操作部９ｂ’と係止部９ａ’とを一本の長辺部９ｄ’で連結した略Ｃ字状としてもよい。この場合、カッターナイフＣは、略Ｃ字状のスライド部材９’とホルスター本体３との間に差し込まれる。
【００２０】
また、ホルスター１には、スライド部材９の進退移動量を制限するストッパ手段が設けられており、この例では、ストッパ手段は、図３に示すように、背面側ケース３ａの、スライド部材９の背面側の長辺部９ｄに対向する位置に形成されスライド部材９の進退移動方向Ｓに延びる長孔１１と、該背面側の長辺部９ｄに形成され、この長孔１１内を移動する突起１３からなる。なお、突起１３を収容、案内するものとして長孔１１に代えて溝（図示省略）としてもよい。
【００２１】
ホルスター１はまた、スライド部材９を、押圧操作方向Ｓ１とは反対方向Ｓ２に付勢する、弾性部材としてのばね（以下、「スライド部材付勢ばね」という。）１５を備えており、この例では、スライド部材付勢ばね１５は、背面側ケース３ａに対してスライド部材９の上記突起１３を上記反対方向Ｓ２へ付勢するよう配置されている。
【００２２】
このように、スライド部材９は、収納空間内に差し込まれたカッターナイフＣのグリップ部先端に当接（係止）してカッターナイフＣの該収納空間からの抜け落ちを防止するものであるが、図６中の矢印Ｓ１方向に操作部９ｂを押圧し強制的にスライドさせることにより、カッターナイフＣの凸部Ｃ１との係止を解除することが可能となっており、これにより収納空間からのカッターナイフＣの引抜きを可能とする。
【００２３】
ところで、図６に示すような、操作部９ｂを押しながらカッターナイフＣを握り込んだ状態では、カッターナイフＣの一側面をホルスター本体３の内面に押し付ける方向に力Ｐが加わることになり、この状態でカッターナイフＣを引き上げていくとカッターナイフＣの上記一側面とホルスター本体３との間に生じる摩擦力が抵抗となって、円滑に引き抜くことができず、とくに、カッターナイフＣの本体に、カッターナイフＣを使用する際のグリップ性を向上させるための滑り止め加工（ゴムやエラストマーなど弾性材の配設または滑り止め用の溝やシボの形成）を施している場合には、その抵抗力は容易に引き抜くことができないほどの力になる場合がある。そこで、この実施形態のホルスター１にあっては、図８に示すように、カッターナイフＣの引き抜き時に、カッターナイフＣの上記一側面がホルスター本体３の内面と接触する箇所、すなわちホルスター本体３内部の上端部のうち操作部９ｂが位置する側にローラー１７を設けて、このローラー１７が回転することによって、カッターナイフＣがホルスター１から円滑に引き抜くことができるよう構成している。
【００２４】
また、この実施形態のホルスター１にあっては、図８に示すように、収納空間の底（ホルスター本体３の底部内面）にばね（以下、「携帯工具付勢ばね」という。）１９が立設されている。この携帯工具付勢ばね１９は、収納空間内に差し込まれたカッターナイフＣの先端と接触して、該カッターナイフＣを押し上げる方向に付勢するものであり、この付勢力によって、カッターナイフＣは常にスライド部材９の係止部９ａに押し付けられることになるので、ホルスター１内で保持されているカッターナイフＣがガタつくことを防止することができる。また、この携帯工具付勢ばね１９によって、サイズの異なるカッターナイフＣをホルスター１内に差し込んだ場合でも、ばね１９の許容範囲内であればガタが生じることなくカッターナイフＣを保持することが可能となる。さらに、この携帯工具付勢ばね１９は、カッターナイフＣをその取り出し方向（差込み方向Ｉの反対方向）に付勢しているので、スライド部材９の操作部９ｂを押してロックを解除するとカッターナイフＣを浮き上げるよう作用するので、カッターナイフＣがより取り出し易くなる効果が得られる。
【００２５】
次いで、上記構成を備えるホルスター１の作用について説明する。ホルスター本体３の上方から出し入れ口を通してカッターナイフＣを差し込むとスライド部材９はカッターナイフＣによってガイド溝ｇ１，ｇ２に沿い強制的にスライドしていき、スライド部材９の係止部９ａがカッターナイフＣのグリップ部先端に設けられた凸部Ｃ１を乗り越えると同時にスライド部材９はスライド部材付勢ばね１５の復元力によって初期位置に戻る。このとき、スライド部材９の係止部９ａがカッターナイフＣの側面に当たる際にカチッという音が鳴り、カッターナイフＣは図８および図９に示すような状態で収納空間に収められることとなり、それを引き取るべく上方へ引き上げても引き抜くことができない。
【００２６】
カッターナイフＣが収納空間内に差し込まれ、スライド部材９によってロックされた状態において、カッターナイフＣは、図８に示すように携帯工具付勢ばね１９によって上方へ付勢されているため、収納空間においてカッターナイフＣは係止部９ａと携帯工具付勢ばね１９との間で確実に保持されることとなり、ガタが生じることがない。
【００２７】
一方、ホルスター１からカッターナイフＣを取り出すには、図６に示すようにカッターナイフＣをその背面側から把持するとともに使用者の親指にてスライド部材９の操作部９ｂを押圧する。そうすると、スライド部材９はガイド溝ｇ１，ｇ２に沿って強制的にスライドしていき、係合部９ａとカッターナイフＣの凸部Ｃ１との係合が解除され、このとき、カッターナイフＣを上方に引き上げるとカッターナイフＣは収納空間から引き抜かれることとなる。
【００２８】
したがって、このようなホルスター１によれば、カッターナイフＣをホルスター１内に確実にロックしてカッターナイフＣのホルスター１からの脱落を防止でき、また、カッターナイフＣの取り出し時には、自然にカッターナイフＣを握る動作でスライド部材９によるロックの解除ができるので、ロック解除とカッターナイフＣの引抜き動作を円滑に（一連の連続した動作で）行うことができるとともに、取り出し後にカッターナイフＣを持ち変える必要がないのでカッターナイフＣを取り出して素早く作業に移行することができる。
【００２９】
また、カッターナイフＣを取り出す際、操作部９ｂを押しながらカッターナイフＣを握りこむ動作をすることになるが、このとき、カッターナイフＣのホルスター１に収められている部分が少ない（逆に言うと、ホルスターから露出している部分が多い）方がカッターナイフＣを握り込むためには有利である。この発明によれば、カッターナイフＣのグリップ部先端に設けられた凸部Ｃ１を利用してホルスター１内にカッターナイフＣを確実に保持できる構成となっているので、カッターナイフＣのホルスター１内への差し込み深さを浅くすることが可能であり、カッターナイフＣの後方は、ホルスター１から露出した状態にしておくことが可能であるため、カッターナイフＣの取り出しの際に握ることができる部分が大きく、カッターナイフＣを確実に握ることが可能となるので、誤ってカッターナイフＣを取り落す危険を低減することができる。また、ホルスター１自体も小型化できるので、カッターナイフＣを収めていない状態での作業者の腰回りへの負担も軽減することができる。
【００３０】
また、この実施形態のホルスター１によれば、スライド部材付勢ばね１５によって、スライド部材９を付勢する構成としたことから、カッターナイフＣをホルスター１内に差し込むだけでカッターナイフＣはスライド部材９によって自動的にロックされるので、カッターナイフＣをロックするための操作を別に行う必要がなく、また、ロックを掛け忘れて不意にホルスターからカッターナイフＣを落下させてしまうことがない。また、このようなスライド部材付勢ばね１５を設けることによって、収納空間にカッターナイフＣを挿入しスライド部材９の係止部９ａがカッターナイフＣの凸部Ｃ１を乗り越えた際にカチッという音を発生させることができるので、ロックの完了を容易に確認することができる。また、上記特許文献２に開示されたような、手動操作によるロック手段を備える従来例では、カッターナイフＣが挿入されていない状態で不意にロックが掛かりカッターナイフＣを差し込むことができないという事態が想定されるが、この実施形態のホルスター１によれば、そのような事態が起きることがない。
【００３１】
さらに、この実施形態のホルスター１によれば、スライド部材９によるロックを解除する際に押す操作部９ｂは、ホルスター１からカッターナイフＣを取り出す際に自然にカッターナイフＣを把持した状態で使用者の親指が当たる位置に設けられているため、ごく自然にカッターナイフＣを取り出す動作と殆ど変わりなくスライド部材９によるロックを解除することが可能となる。
【００３２】
さらに、この実施形態のホルスター１によれば、スライド部材９を、操作部９ｂから係止部９ａに向けて斜め下方に摺動可能に構成したことから、ホルスター１からカッターナイフＣを取り出す際に自然にカッターナイフＣを把持した状態で使用者が操作部９ｂを親指で押す方向とスライド部材９のスライド方向とをほぼ一致させることができ、より自然に操作部９ｂの押圧を行うことができる。
【００３３】
次いで、この発明にしたがう他の実施形態のホルスターについて説明する。なお、後述の各実施形態において、図１〜図９を参照して説明したホルスターと同様の要素には同一の符号を付し、その詳細な説明は省略するものとする。
【００３４】
図１０に示す実施形態では、スライド部材９の操作部９ｂが不意に操作されてロックが解除されるのを防止するため、ホルスター本体３の上端（カッターナイフＣの出し入れ口）近傍に、使用者の親指が入る分のスペースを残して操作部９ｂを囲むガード部材２３を設けている。ガード部材２３は図示例ではアーチ形状のものを示しているが、操作部９ｂの側方から下半分を丸ごと覆う袋形状のものを採用することもできる。
【００３５】
図１１に示すさらに他の実施形態では、スライド部材９’’の操作部９ｂ’’および係止部９ａ’’の配置を図１〜図９を参照して説明した実施形態とは逆にした点で異なる。この場合、使用者は、母指でスライド部材９’’を斜め後方に引き上げてロックを解除するとともに、カッターナイフＣを握ってホルスター１から引き抜くことになる。図示は省略するが、この実施形態においても、図１０で示した実施形態と同様、操作部９ｂ’’を囲うようガード部材（図示省略）を設けることができる。
【００３６】
図１２に示すさらに他の実施形態では、係止部９ａの構成が上述の実施形態とは異なる。すなわち、上述の実施形態では、リング状のスライド部材９の短辺部の下端をカッターナイフＣのグリップ部先端の凸部Ｃ１に直接引っ掛けて該凸部Ｃ１を係止する構成としたが、この実施形態では、スライド部材９の一方の短辺部の内面（カッターナイフＣの側面部が当接する部分）に滑り止め可能を施した弾性材（エラストマー）２５を設け、この弾性材２５による摩擦力によってカッターナイフＣを係止するようにしたものである。この場合、カッターナイフＣの凸部Ｃ１が不要となるので、本体形状がストレートであるカッターナイフ（図示省略）であっても本発明のホルスターを適用することが可能となる。
【産業上の利用可能性】
【００３７】
かくして、この発明により、携帯工具をホルスター内に確実にロックして携帯工具のホルスターからの脱落を防止でき、また、携帯工具の取り出し時にはロック解除と携帯工具の引抜き動作を円滑に行うことができる新規なホルスターを提供することが可能となった。
【符号の説明】
【００３８】
１  ホルスター
３  ホルスター本体
３ａ  背面側ケース
３ｂ  正面側ケース
５  ベルト通し部
７  環状部
９  スライド部材
９’  スライド部材
９’’  スライド部材
９ａ  係止部
９ａ’  係止部
９ａ’’  係止部
９ｂ  操作部
９ｂ’  操作部
９ｂ’’  操作部
９ｃ，９ｄ  長辺部
１５  スライド部材付勢ばね
１７  ローラー
１９  携帯工具付勢ばね
２３  ガード部材
２５  弾性材
【図１】
0005869845.tif 000002
【図２】
0005869845.tif 000003
【図３】
0005869845.tif 000004
【図４】
0005869845.tif 000005
【図５】
0005869845.tif 000006
【図６】
0005869845.tif 000007
【図７】
0005869845.tif 000008
【図８】
0005869845.tif 000009
【図９】
0005869845.tif 000010
【図１０】
0005869845.tif 000011
【図１１】
0005869845.tif 000012
【図１２】
0005869845.tif 000013
【図１３】
0005869845.tif 000014